(57)【要約】【課題】  遠隔操作式排水栓装置において、操作部の取り付け又はレリースワイヤなど排水装置の部材を貫通させる為の貫通する孔を排水機器に開口することなく、排水機器に遠隔操作式排水栓装置を施工する方法を提案するものである。【解決手段】  槽体の底面に設けられた排水口１と、該排水口１を開閉する弁部材２と、該弁部材２の動作を操作する操作部３と、からなる遠隔操作式排水栓装置において、操作部３に磁力源を配置すると共に、磁力源との間に壁面を介して配置され、磁力源に反応して弁部材２を動作させ、排水口１を開閉させる受信部４ａを備えて構成する。また、上記弁部材２は電力によって動作する。また、上記磁力源は永久磁石１２ａ、または電磁石より構成する。【選択図】図２
2012097545.tif 000002
【特許請求の範囲】
【請求項１】
槽体の底面に設けられた排水口１と、
該排水口１を開閉する弁部材２と、
該弁部材２の動作を操作する操作部３と、からなる遠隔操作式排水栓装置において、
操作部３に磁力源を配置すると共に、
磁力源との間に壁面を介して配置され、磁力源に反応して弁部材２を動作させ、排水口１を開閉させる受信部４ａを備えた事を特徴とする、遠隔操作式排水栓装置。
【請求項２】
上記磁力源が永久磁石１２ａであることを特徴とする、請求項１に記載の遠隔操作式排水栓装置。
【請求項３】
上記磁力源が電磁石であることを特徴とする、請求項１に記載の遠隔操作式排水栓装置。
【請求項４】
槽体の底面に設けられた排水口１と、
該排水口１を開閉する弁部材２と、
該弁部材２の動作を操作する操作部３と、からなる遠隔操作式排水栓装置において、
操作部３に金属片を配置すると共に、
金属片との間に壁面を介して配置され、金属片に反応して弁部材２を動作させ、排水口１を開閉させる受信部４ａを備えた事を特徴とする、遠隔操作式排水栓装置。
【請求項５】
上記操作部に、排水口の開閉状態を示す表示機能を備えたことを特徴とする、請求項１乃至請求項４のいずれか一つに記載の遠隔操作式排水栓装置。
【請求項６】
上記操作部３に、使用者が操作を加えるボタン部材１３を備えると共に、
排水口１を開閉するために該ボタン部材１３に加えられる動作が、操作部１を備えた壁面に対して略平行方向に行われることを特徴とする、請求項１乃至請求項５のいずれか一つに記載の遠隔操作式排水栓装置。
【請求項７】
上記操作部３に、排水口１の開閉状態を示す表示機能を備えるとともに、その表示機能が、
操作部３に排水口１の開口／閉口の各状態を示す表示を備え、
操作部３を備えた壁面に対して略平行に移動するボタン部１３により、開口／閉口の各状態を示す表示の内、排水口１の状態を示す表示のみを露出させることによって、
操作部３が排水口１の状態を表示することを特徴とする、請求項６に記載の遠隔操作式排水栓装置。
【請求項８】
上記遠隔操作式排水栓装置の排水口１を浴室ＢＲ内の浴槽Ｂに採用すると共に、遠隔操作式排水栓装置の操作部３を、浴室ＢＲ外の壁面に配置したことを特徴とする、請求項１乃至請求項７のいずれか一つに記載の遠隔操作式排水栓装置。
【請求項９】
上記遠隔操作式排水栓装置において、
操作部３を複数設けると共に、少なくとも浴室ＢＲ内に１つ以上操作部を配置し、
且つ複数ある操作部３の少なくともいずれか一つを、請求項１乃至請求項８のいずれか一つに記載した遠隔操作式排水栓装置の操作部１としたことを特徴とする、遠隔操作式排水栓装置。
【請求項１０】
上記弁部材２が電力によって動作することを特徴とする、請求項１乃至請求項９のいずれか一つに記載の遠隔操作式排水栓装置。
【発明の詳細な説明】
【技術分野】
【０００１】
本発明は、遠隔操作式排水栓装置に関し、更に詳しくは、操作部を取り付けるに当たり壁面に開口等を設ける必要の無い遠隔操作式排水栓装置に関するものである。
【背景技術】
【０００２】
従来より、図２１に示したように、浴槽や洗面ボウルなどの槽体の底面に設けられた排水口を、槽体の縁部など排水口から離れた場所に設けられた操作部に操作を加えることで、遠隔操作により開閉する遠隔操作式排水栓装置が知られている。以下に従来の遠隔操作式排水栓装置の一例を、図面を参照しつつ説明する。
従来の遠隔操作式排水栓装置は、以下に記載する、槽体としての浴槽と、排水栓本体、継手部材、弁部材、レリースワイヤ、操作部等から構成される。
浴槽は、上方が開口した箱体であって、上端周縁に操作部を取り付ける壁面を貫通した孔である操作部取付孔を、底部に排水栓を取り付ける排水栓取付孔を、それぞれ開口する。
排水栓本体は、内部に排水口を形成した円筒状の部材であって、排水口内部にレリースワイヤのアウターチューブ端部を接続固定した状態で嵌合固定される支持部材を備えてなる。
継手部材は、上記排水栓本体に接続される部材であって、排水を排出する排出口と、側面に突出した接続筒とを備えてなる。
弁部材は、この後に詳述するレリースワイヤの弁軸部と嵌合する、排水口の上部に配置される部材であって、上昇／下降することで、排水口を開口／覆って閉口させる部材である。
レリースワイヤは、四フッ化エチレンなどの樹脂から構成される円筒状のアウターチューブと、アウターチューブ内に進退自在に配置される、コイル状に形成された金属線からなるインナーワイヤと、インナーワイヤをアウターチューブに対して一方向（操作部側）に付勢する戻りスプリングと、排水栓側端部に設けられた、棒状にして弁部材と嵌合する弁軸部と、後述するスラストロック部材と、から構成される。
スラストロック部材は、アウターチューブ端部が接続されるスラストロック本体と、インナーワイヤ端部が当接するスラストロック軸部とから構成され、スラストロック軸部への押し込み操作毎に、スラストロック軸部が突出してインナーワイヤを弁軸部側に突出して固定／固定を解除しインナーワイヤの戻りスプリングの作用により操作部側に後退、を繰り返す部材である。
操作部は、弁部材を遠隔的に操作する部材であって、略円筒状にして、内部にスラストロック本体を固定すると共に外周面に雄ネジ部を設けた操作部本体と、操作部本体の雄ネジ部と螺合する雌ネジ部を備えたナット部材と、スラストロック軸部の端部に固定されるボタン部材と、から構成される。尚、上記のような構成により、施工完了時においては、レリースワイヤのアウターチューブ端部は、スラストロック本体を介してスイッチ本体に固定される。
チューブ管は、軟質塩ビ材等から構成される長い円筒状の部材であって、一端はスイッチ本体に、他端は継手部材の接続部に、それぞれ固定される。
【０００３】
以上のように構成した従来例の遠隔操作式排水栓装置は、以下のようにして槽体である浴槽に施工・取り付けされる。
まず浴槽の操作部取付孔に操作部本体を挿通し、下方よりナット部材を螺合させ、操作部本体とナット部材とで操作部取付孔周縁を挟持して取り付け固定する。
次に、浴槽の排水栓取付孔に排水栓本体と継手部材を、排水栓本体と継手部材とで排水栓取付孔周縁を挟持するようにして取り付け固定する。これにより、排水栓本体及び継手部材が排水栓として機能する。
更に操作部本体の下端と継手部材の接続部とにチューブ管を嵌め込み固定する。
次いで、レリースワイヤを、弁軸部側を先端として、操作部本体から挿入する。更に操作部側からレリースワイヤを押し込み続けると、レリースワイヤの先端が、チューブ管を通過し、継手部材の内部まで挿通される。
その後、浴槽内部から排水口内部に突出したレリースワイヤ先端を引き上げ、支持部材にアウターチューブ端部を固定した上で、排水栓本体に支持部材を嵌合固定する。
また、この前後で、レリースワイヤ端部のスラストロック本体を操作部本体内部に固定させる。支持部材に対するレリースワイヤの固定作業と、スラストロック本体を操作部本体内部に固定させる作業のいずれが先になるかは、排水口側のレリースワイヤの引き出し量や施工状況により変化する。
最後にインナーワイヤの弁軸部に弁部材を、またスラストロック軸部の端部にボタン部材を、それぞれ嵌合固定させて、遠隔操作式排水栓装置の浴槽への施工・取り付けが完了する。
【０００４】
前記のように取り付けられた遠隔操作式排水栓装置は、以下のように操作することで、遠隔操作により排水口を開閉できる。
まず弁部材が降下し、排水口が閉口している状態とする。この状態において操作部のボタン部材に押し込み操作を加えると、スラストロック軸部がインナーワイヤ側に突出し、それに伴ってインナーワイヤがアウターチューブに対し排水口側へ突出し、弁部材を押し上げて排水口を開口する。この状態にてスラストロック軸部が固定され、排水口の開口状態が維持される。
この状態から再度操作部のボタン部材に押し込み操作を加えると、スラストロック軸部の固定が解除され、弁部材の自重及び戻りスプリングの作用によりインナーワイヤが操作部側に後退し、弁部材が降下して排水口が閉口する。
以後、同様の操作を繰り返すことで、遠隔操作的に、排水口の開口／閉口を行うことができ、開口時には浴槽内の排水を排出することができる。
【０００５】
【特許文献１】特開２００２−８８８５３号
【発明の開示】
【発明が解決しようとする課題】
【０００６】
上記遠隔操作式排水栓装置においては、開閉操作を行う為の操作部は、当然ながら洗面台や浴槽など排水機器の表側に露出するように配置される。他方、弁部材を動作させるためのレリースワイヤや支持部材は、意匠性や排水機器の使用の障害とならないように、排水機器の裏側に配置される。このため、操作部から弁部材までをレリースワイヤなどで接続するために、排水機器の表側から裏側に貫通する孔を設ける必要がある。上記従来例では操作部取付孔がこの貫通する孔に該当する。
しかしながら、上記貫通する孔を設けるためには、洗面台や浴槽などに開口の作業を行う必要があり、加工の手間を生じると共に、排水機器を傷つけてしまう場合がある、といった問題があった。また、この開口作業は、排水機器を工場などで製造している際にドリルなどの冶具を用いて開口する場合がほとんどで、施工完了後に家庭などで開口作業を行う事は事実上ほぼ不可能である。このように、この貫通する孔を設ける作業が、工場以外ではほぼ実施不可能なため、遠隔操作式排水栓装置を備えない排水機器に、後付けで遠隔操作式排水栓装置を取り付けることができない、という問題があった。
本発明は上記問題点に鑑み発明されたものであって、遠隔操作式排水栓装置において、操作部の取り付け又はレリースワイヤなど排水装置の部材を貫通させる為の貫通する孔を排水機器に開口することなく、排水機器に遠隔操作式排水栓装置を施工する方法を提案するものである。
【課題を解決するための手段】
【０００７】
請求項１に記載の本発明は、槽体の底面に設けられた排水口１と、該排水口１を開閉する弁部材２と、該弁部材２の動作を操作する操作部３と、からなる遠隔操作式排水栓装置において、操作部３に磁力源を配置すると共に、磁力源との間に壁面を介して配置され、磁力源に反応して弁部材２を動作させ、排水口１を開閉させる受信部４ａを備えた事を特徴とする、遠隔操作式排水栓装置である。
【０００８】
請求項２に記載の本発明は、上記磁力源が永久磁石１２ａであることを特徴とする、上記段落０００７に記載の遠隔操作式排水栓装置である。
【０００９】
請求項３に記載の本発明は、上記磁力源が電磁石であることを特徴とする、上記段落０００７に記載の遠隔操作式排水栓装置である。
【００１０】
請求項４に記載の本発明は、槽体の底面に設けられた排水口１と、該排水口１を開閉する弁部材２と、該弁部材２の動作を操作する操作部３と、からなる遠隔操作式排水栓装置において、操作部３に金属片を配置すると共に、金属片との間に壁面を介して配置され、金属片に反応して弁部材２を動作させ、排水口１を開閉させる受信部４ａを備えた事を特徴とする、遠隔操作式排水栓装置である。
【００１１】
請求項５に記載の本発明は、上記操作部に、排水口の開閉状態を示す表示機能を備えたことを特徴とする、上記段落０００７乃段落００１０のいずれか一つに記載の遠隔操作式排水栓装置である。
【００１２】
請求項６に記載の本発明は、上記操作部３に、使用者が操作を加えるボタン部材１３を備えると共に、排水口１を開閉するために該ボタン部材１３に加えられる動作が、操作部１を備えた壁面に対して略平行方向に行われることを特徴とする、上記段落０００７乃段落００１１のいずれか一つに記載の遠隔操作式排水栓装置である。
【００１３】
請求項７に記載の本発明は、上記操作部３に、排水口１の開閉状態を示す表示機能を備えるとともに、その表示機能が、操作部３に排水口１の開口／閉口の各状態を示す表示を備え、操作部３を備えた壁面に対して略平行に移動するボタン部１３により、開口／閉口の各状態を示す表示の内、排水口１の状態を示す表示のみを露出させることによって、操作部３が排水口１の状態を表示することを特徴とする、上記段落００１２に記載の遠隔操作式排水栓装置である。
【００１４】
請求項８に記載の本発明は、上記遠隔操作式排水栓装置の排水口１を浴室ＢＲ内の浴槽Ｂに採用すると共に、遠隔操作式排水栓装置の操作部３を、浴室ＢＲ外の壁面に配置したことを特徴とする、上記段落０００７乃段落００１３のいずれか一つに記載の遠隔操作式排水栓装置である。
【００１５】
請求項９に記載の本発明は、上記遠隔操作式排水栓装置において、操作部３を複数設けると共に、少なくとも浴室ＢＲ内に１つ以上操作部を配置し、且つ複数ある操作部３の少なくともいずれか一つを、上記段落０００７乃段落００１４のいずれか一つに記載した遠隔操作式排水栓装置の操作部１としたことを特徴とする、遠隔操作式排水栓装置である。
【００１６】
請求項１０に記載の本発明は、上記弁部材２が電力によって動作することを特徴とする、上記段落０００７乃段落００１５のいずれか一つに記載の遠隔操作式排水栓装置である。
【発明の効果】
【００１７】
請求項１、請求項４に記載の本発明では、排水機器に壁面を貫通する孔を設けなくても、磁力検知や金属材検知の反応を利用して、排水機器の表側に配置した操作部に加えられた操作を、排水機器の裏側に配置された弁部材、又は弁部材の開閉動作の為の部材に伝達できる。このため、貫通した孔を開口するための加工の手間が不要になり、また、開口の作業の際排水機器を傷つけてしまう、という問題が無くなった。また開口作業が不要になったため、遠隔操作式排水栓装置を備えない排水機器に、後付けで遠隔操作式排水栓装置を取り付けることも可能となった。また、排水機器に貫通した孔を設けないため、水密性を良好に確保できるようになった。
請求項２、請求項３に記載の本発明では、操作部の磁力の発生源を明確にすることができた。
請求項５に記載の本発明では、排水口の開口状態、閉口状態を、排水口を確認しなくても、操作部を確認するだけで知ることができる。
請求項６に記載の本発明では、操作部のボタン部材への操作を壁面に対し略水平方向に行うことで、操作部の厚みを薄くできるようになった。請求項１乃至請求項５に記載の発明では、排水機器の壁面に操作部を埋め込まない構成にする場合が多く、操作部が平坦な壁面上に配置される場合などにおいては、このように操作部を薄くすることができると好適である。また、請求項６に記載の発明の場合、請求項７に記載したように、ボタン部材の水平移動を利用して、開口状態と閉口状態を容易に表示することができる。
請求項８に記載の発明では、浴槽に遠隔操作式排水栓装置を採用する場合に、本発明の技術を利用した操作部を、浴室と洗い場とを区画する壁面に配置することができる。浴槽を施工する施工業者と、浴室全体または建物を施工する施工業者は異なる場合も多く、浴槽を設置する施工業者が、従来の遠隔操作式排水栓装置の操作部を取り付けるため、浴室と脱衣所とを区画する壁に貫通する孔を設けることは困難な場合があるが、本発明の構成においては、操作部を取り付けるための貫通する孔を開口する必要が無いため、浴室と脱衣所とを区画する壁に操作部を取り付けることも容易である。
請求項９に記載の発明では、操作部を複数設け、それぞれの操作部において排水口を開閉できるようになった。例えば請求口８に記載したように、浴槽から離れた箇所に操作部を設けた場合に、操作部が一つしかないと、浴室内からは排水口を開閉できなくなる。例えば浴室の清掃中に浴槽の排水を行う場合、排水口の開閉操作を行う都度浴室から脱衣所に移動する必要があり不便である。このため、上記のように複数操作部を設けた方が好適である。
尚、上記請求項１乃至請求項９に記載の発明では、少なくとも操作部の一つにおいて、操作部に加えられた応力を、直接弁部材の開閉動作に利用することができないため、請求項１０に記載の発明のように、弁部材の開閉動作に電力を利用すると好適である。
【図面の簡単な説明】
【００１８】
【図１】第一実施例の遠隔操作式排水栓装置を示す参考図である。
【図２】第一実施例の操作部を示す、一部を切り欠きした参考図である。
【図３】第一実施例の操作部の動作を示す、一部を切り欠きした参考図である。
【図４】第一実施例の操作部の動作を示す、一部を切り欠きした参考図である。
【図５】第一実施例の操作部の動作を示す、一部を切り欠きした参考図である。
【図６】第二実施例の遠隔操作式排水栓装置を示す参考図である。
【図７】第二実施例の操作部を示す、一部を切り欠きした参考図である。
【図８】第二実施例の操作部の動作を示す、一部を切り欠きした参考図である。
【図９】第二実施例の排水口を示す、一部を切り欠きした参考図である。
【図１０】第二実施例の排水口の動作を示す、一部を切り欠きした参考図である。
【図１１】第二実施例の排水口の動作を示す、一部を切り欠きした参考図である。
【図１２】第三実施例の遠隔操作式排水栓装置を示す参考図である。
【図１３】第三実施例の操作部の動作を示す、一部を切り欠きした参考図である。
【図１４】図１３における操作部の平面図である。
【図１５】第三実施例の操作部の動作を示す、一部を切り欠きした参考図である。
【図１６】図１５における操作部の平面図である。
【図１７】第四実施例の遠隔操作式排水栓装置を示す参考図である。
【図１８】ワイヤー合流部材の動作を示す、一部を切り欠きした参考図である。
【図１９】ワイヤー合流部材の動作を示す、一部を切り欠きした参考図である。
【図２０】ワイヤー合流部材の動作を示す、一部を切り欠きした参考図である。
【図２１】従来例の遠隔操作式排水栓装置を示す参考図である。
【実施例】
【００１９】
以下に、本発明の第一実施例について、図面を参照しつつ説明する。
図１乃至図５に示した、第一実施例の遠隔操作式排水栓装置は、以下に記載する、槽体としての浴槽Ｂと、排水栓本体５、継手部材７、弁部材２、レリースワイヤ１０、操作部３、及び動作ユニット１６から構成される。
浴槽Ｂは、上方が開口した箱体であって、底部に排水栓取付孔を開口する。
排水栓本体５は、内部に排水口１を形成した円筒状の部材であって、排水口１内部にレリースワイヤ１０のアウターチューブ１０ａ端部を固定した状態で嵌合固定される支持部材６を備えてなる。
継手部材７は、上記排水栓本体５に接続される部材であって、排水を排出する排出口８と、側面に突出した接続筒９とを備えてなる。
弁部材２は、この後に詳述するレリースワイヤ１０の弁軸部１０ｄと嵌合する、排水口１の上部に配置される部材であって、上昇／下降することで、排水口１を開口／覆って閉口させる部材である。
レリースワイヤ１０は、四フッ化エチレンなどの樹脂から構成される円筒状のアウターチューブ１０ａと、アウターチューブ１０ａ内に進退自在に配置される、コイル状に形成された金属線からなるインナーワイヤ１０ｂと、インナーワイヤ１０ｂをアウターチューブ１０ａに対して一方向（操作部３側）に付勢する戻りスプリング１０ｃと、排水栓側端部に設けられた、棒状にして弁部材２と嵌合する弁軸部１０ｄと、後述するスラストロック部材１１と、から構成される。
スラストロック部材１１は、アウターチューブ１０ａ端部が接続されるスラストロック本体１１ａと、インナーワイヤ１０ｂ端部が当接するスラストロック軸部１１ｂ、その他の部材から構成され、スラストロック軸部１１ｂへの押し込み操作毎に、スラストロック軸部１１ｂがインナーワイヤ１０ｂを下方、即ち弁軸部１０ｄ側に突出して固定／固定を解除しインナーワイヤ１０ｂの戻りスプリング１０ｃの作用により上方、即ち操作部３側に後退、を繰り返す部材である。
操作部３は、弁部材２への開閉操作を行う為の部材であって、使用者が押し込み操作を行う、磁力源として永久磁石１２ａを備えたボタン部材１３と、該ボタン部材１３を収納する操作部本体１４と、ボタン部材１３を上方に押し上げる押し上げスプリング１５と、から構成される。
動作ユニット１６は、上端が浴槽Ｂの上縁裏側に固定され、下端にスラストロック部材１１を固定するケーシング部１６ａと、ケーシング部１６ａ上端に固定され、上記ボタン部材１３の永久磁石１２ａの磁力に反応して通電する受信部４ａと、受信部４ａからの通電を受け、電力によって動作するモーター駆動により、スラストロック部材１１のスラストロック軸部１１ｂに押し込み操作を行う駆動部１７と、から構成される。尚、本実施例では受信部４ａやモーターの電源については特に記載しないが、通常の家庭用コンセント等を利用する事で容易に用意することができる。また、駆動部１７には軸や傾斜面等が備えられ、これがスラストロック軸部１１ｂ等に押し込み操作を行うが、これらは一回の動作毎に元の位置・状態に戻り、スラストロック軸部１１ｂの動作の妨げとなる位置・状態で停止する事はない。
【００２０】
以上のように構成した第一実施例の遠隔操作式排水栓装置は、以下のようにして槽体である浴槽Ｂに施工・取り付けされる。
まず浴槽Ｂの上縁近傍に、接着剤または両面テープを用いて操作部３を固定する。
次に、浴槽Ｂ上縁の壁面を介し、操作部３の対向位置に受信部４ａが配置されるように、動作ユニット１６のケーシング部１６ａを接着剤または両面テープを用いて固定する。
また、浴槽Ｂの排水栓取付孔に排水栓本体５と継手部材７を、排水栓本体５と継手部材７とで排水栓取付孔周縁を挟持するようにして取り付け固定する。これにより、排水栓本体５及び継手部材７が排水栓として機能する。
更にケーシング部１６ａにレリースワイヤ１０のスラストロック部材１１側端部を接続した後、レリースワイヤ１０の他端を、接続筒９を介し継手部材７の内部まで挿通する。
この状態から、ラジオペンチ等の冶具を利用し、浴槽Ｂ内部から排水口１内部に突出したレリースワイヤ１０の先端を引き上げ、支持部材６にアウターチューブ１０ａ端部を固定した上で、排水栓本体５に支持部材６を嵌合固定する。
最後にインナーワイヤ１０ｂの弁軸部１０ｄに弁部材２を嵌合固定させて、遠隔操作式排水栓装置の浴槽Ｂへの施工・取り付けが完了する。
【００２１】
前記のように取り付けられた遠隔操作式排水栓装置は、以下のように操作することで、遠隔操作により排水口１を開閉できる。
まず図１に示したように、弁部材２が降下し、排水口１が閉口している状態とする。この時、操作部３は図２に示したような状態となる。この状態より、図３に示したように、操作部３のボタン部材１３に押し込み操作を加えると、ボタン部材１３に固定されている永久磁石１２ａが、浴槽Ｂ上縁の壁面越しながら、受信部４ａに接近するため、受信部４ａが受ける磁力の強度が増す。
受信部４ａが受信する磁力の強度が一定値を超えると、受信部４ａが反応して通電し、駆動部１７がモーターの軸を中心として回転動作する。これにより、図４に示したように、スラストロック部材１１のスラストロック軸部１１ｂに押し込み操作が行われ（図４の状態の時、駆動部１７は図２の状態から１／２回転している）、スラストロック軸部１１ｂがインナーワイヤ１０ｂ側に突出し、それに伴ってインナーワイヤ１０ｂがアウターチューブ１０ａに対し排水口１側へ突出し、弁部材２を押し上げて排水口１を開口する。更に駆動部１７が動作し、１回転して元の位置に戻ると、図５のような状態にてスラストロック軸部１１ｂが固定され、排水口１の開口状態が維持される。
この状態から再度操作部３のボタン部材１３に押し込み操作を加えると、再びボタン部材１３に固定されている永久磁石１２ａが、浴槽Ｂ上縁の壁面越しに受信部４ａに接近し、受信部４ａが反応して通電し、駆動部１７を動作させる。これにより、スラストロック部材１１のスラストロック軸部１１ｂに再度押し込み操作が行われ、スラストロック軸部１１ｂの固定が解除されて操作部３が図２の状態となり、弁部材２の自重及び戻りスプリング１０ｃの作用によりインナーワイヤ１０ｂが操作部３側に後退し、弁部材２が降下して排水口１が閉口する。
以後、同様の操作を繰り返すことで、遠隔操作的に、排水口１の開口／閉口を行うことができ、開口時には浴槽Ｂ内の排水を排出することができる。
上記のように構成された、第一実施例の遠隔操作式排水栓装置は、電力によりモーターを駆動させることで排水口１を開閉する、電動式の遠隔操作式排水栓装置である。
【００２２】
次に、本発明の第二実施例について、図面を参照しつつ説明する。
図６乃至図１１に示した、第二実施例の遠隔操作式排水栓装置は、以下に記載する、槽体としての浴槽Ｂと、排水栓本体５、継手部材７、弁部材２、操作部３、受信部４ａ、及び動作ユニット１６から構成される。
浴槽Ｂは、上方が開口した箱体であって、底部に排水栓取付孔を開口する。
排水栓本体５は、内部に排水口１を形成した円筒状の部材であって、排水口１内部に動作ユニット１６を嵌合固定するように構成されてなる。
継手部材７は、上記排水栓本体５に接続される部材であって、排水を排出する排出口８と、側面に突出した接続筒９とを備えてなる。
弁部材２は、この後に詳述する動作部のスラストロック軸部１１ｂと嵌合する、排水口１の上部に配置される部材であって、上昇／下降することで、排水口１を開口／覆って閉口させる部材である。
操作部３は、弁部材２への開閉操作を行う為の部材であって、使用者が押し込み操作を行うボタン部材１３と、該ボタン部材１３を収納する操作部本体１４と、操作部本体１４内に収納され、ボタン部材１３が押し込まれることで通電し、磁力を発生させるコイル線を備えた電磁石部１２ｂと、操作部本体１４内に収納され、ボタン部材１３を上方に押し上げる押し上げスプリング１５と、から構成される。またボタン部材１３には下方に突出した接点１８が設けられ、これが電磁石部１２ｂに接することで通電し電磁石部１２ｂが磁力を発生させる。
尚、特に図示・記載などしないが、上記電磁石の電源としては、いわゆるボタン電池が利用される。ボタン電池は小型・軽量であり、ボタン部材１３裏面などに固定収納する事で、支障無く電源として機能する。
受信部４ａは上記操作部３の電磁石の磁力に反応して通電する部材であって、浴槽Ｂの上縁裏側に固定され、動作ユニット１６に電線Ｌにて接続されてなる。
動作ユニット１６は、排水栓本体５の排水口１内部に固定される部材であって、後述する、スラストロック軸部１１ｂを備えたスラストロック部材１１と、スラストロック部材１１の下方に配置され、受信部４ａからの通電を受け、電力によって動作するモーター駆動により、スラストロック部材１１のスラストロック軸部１１ｂ下端に対し、上向きに押し込み操作を行う駆動部１７と、から構成される。尚、本実施例では受信部４ａやモーターの電源については特に記載しないが、通常の家庭用コンセント等を利用する事で容易に用意することができる。
また、駆動部１７には軸や傾斜面等が備えられ、これがスラストロック軸部１１ｂ等に押し込み操作を行うが、これらは一回の動作毎に元の位置・状態に戻り、スラストロック軸部１１ｂの動作の妨げとなる位置・状態で停止する事はない。
スラストロック部材１１は、スラストロック本体１１ａと、その内部に収納され、上端に弁部材２を嵌合固定するスラストロック軸部１１ｂと、その他の部材から構成されてなり、スラストロック軸部１１ｂに、下方から上方へ向けて押し込み操作を行う毎に、スラストロック軸部１１ｂが上方に突出して固定／固定を解除し自重により下方に降下、を繰り返す部材である。
【００２３】
以上のように構成した第二実施例の遠隔操作式排水栓装置は、以下のようにして槽体である浴槽Ｂに施工・取り付けされる。
まず浴槽Ｂの上縁近傍に、接着剤または両面テープを用いて操作部３を固定する。
次に、浴槽Ｂ上縁の壁面を介し、操作部３の対向位置に、受信部４ａを接着剤または両面テープを用いて固定する。
また、浴槽Ｂの底面の取付孔に排水栓本体５と継手部材７を、排水栓本体５と継手部材７とで取付孔周縁を挟持するようにして取り付け固定する。これにより、排水栓本体５及び継手部材７が排水栓として機能する。
更に受信部４ａからの電線Ｌを、接続筒９を介して排水栓内部に配置し、排水口１から浴槽Ｂ内に引き上げて、動作ユニット１６に接続する。更に動作ユニット１６を排水栓本体５内に嵌合固定させる。
最後に、スラストロック軸部１１ｂの先端に弁部材２を嵌合固定させて、遠隔操作式排水栓装置の浴槽Ｂへの施工・取り付けが完了する。
【００２４】
前記のように取り付けられた遠隔操作式排水栓装置は、以下のように操作することで、遠隔操作により排水口１を開閉できる。
まず図６に示したように、弁部材２が降下し、排水口１が閉口している状態とする。この時、操作部３は図７に、排水口１は図９に、それぞれ示した状態となる。この状態より、図８に示したように、操作部３のボタン部材１３に押し込み操作を加えると、ボタン部材１３の接点１８が電磁石部１２ｂに接して通電が生じ、磁力が発生して、受信部４ａが一定値を超える磁力を受信し、受信部４ａと電線Ｌで接続されている駆動部１７に通電が行われ、駆動部１７がモーターの軸を中心として回転動作する。これにより、図１０に示したように、スラストロック部材１１のスラストロック軸部１１ｂに押し込み操作が行われ（図１０の状態の時、駆動部１７は図９の状態から１／２回転している）、スラストロック軸部１１ｂが上昇し、弁部材２を押し上げて排水口１を開口する。更に駆動部１７が動作し、１回転して元の位置に戻ると、図１１のような状態にてスラストロック軸部１１ｂが固定され、排水口１の開口状態が維持される。
この状態から再度操作部３のボタン部材１３に押し込み操作を加えると、再びボタン部材１３のコイル線に通電し、磁力が発生して、受信部４ａが反応して通電し、駆動部１７を動作させる。これにより、スラストロック部材１１のスラストロック軸部１１ｂに再度下方から上方へ向かう押し込み操作が行われ、スラストロック軸部１１ｂの固定が解除され、弁部材２の自重により、弁部材２が降下して排水口１が図９の状態となり、排水口１が閉口する。
以後、同様の操作を繰り返すことで、遠隔操作的に、排水口１の開口／閉口を行うことができ、開口時には浴槽Ｂ内の排水を排出することができる。
上記のように構成された、第二実施例の遠隔操作式排水栓装置は、電力によりモーターを駆動させることで排水口１を開閉する、電動式の遠隔操作式排水栓装置である。
【００２５】
次に、本発明の第三実施例について、図面を参照しつつ説明する。
図１２乃至図１６に示した、第三実施例の遠隔操作式排水栓装置は、以下に記載する、槽体としての浴槽Ｂと、排水栓本体５、継手部材７、弁部材２、レリースワイヤ１０、操作部３、及び動作ユニット１６から構成される。
浴槽Ｂは、上方が開口した箱体であって、底部に排水栓取付孔を開口する。
排水栓本体５は、内部に排水口１を形成した円筒状の部材であって、排水口１内部にレリースワイヤ１０のアウターチューブ１０ａ端部を固定した状態で嵌合固定される支持部材６を備えてなる。
継手部材７は、上記排水栓本体５に接続される部材であって、排水を排出する排出口８と、側面に突出した接続筒９とを備えてなる。
弁部材２は、この後に詳述するレリースワイヤ１０の弁軸部１０ｄと嵌合する、排水口１の上部に配置される部材であって、上昇／下降することで、排水口１を開口／覆って閉口させる部材である。
レリースワイヤ１０は、四フッ化エチレンなどの樹脂から構成される円筒状のアウターチューブ１０ａと、アウターチューブ１０ａ内に進退自在に配置される、コイル状に形成された金属線からなるインナーワイヤ１０ｂと、インナーワイヤ１０ｂをアウターチューブ１０ａに対して一方向（操作部３側）に付勢する戻りスプリング１０ｃと、排水栓側端部に設けられた、棒状にして弁部材２と嵌合する弁軸部１０ｄと、後述するスラストロック部材１１と、から構成される。
操作部３は、弁部材２への開閉操作を行う為の部材であって、使用者が操作部３を取り付けた壁面（本実施例の場合、浴槽の上縁部分の壁面）に対して略平行方向にスライドさせる、金属材からなるボタン部材１３と、該ボタン部材１３をスライド可能に収納するスライド収納部１４ａを備えた樹脂製の操作部本体１４と、からなる。また、スライド収納部１４ａ上には、上方から目視できる位置に、「開」「閉」の文字が表記されており、ボタン部材をスライド収納部１４ａ上でスライドさせることで、「開」又は「閉」の一方の表示が覆い隠されるように構成されている。尚、ボタン部材１３と操作部本体３の間には凹凸が設けられ、その嵌合を利用して、スライド収納部１４ａ上の、「開」の位置から「閉」の位置への移動（またはその逆の移動）が振動などで容易に起こらないように構成している。
動作ユニット１６は、上端が浴槽Ｂの上縁裏側に固定されるケーシング部１６ａと、ケーシング部１６ａ上端に固定され、上記操作部３のボタン部材１３を構成する金属材に反応する金属探知器４ｂと、金属探知器４ｂがボタン部材１３の金属材を検知している時は下方に突出し、金属探知器４ｂがボタン部材１３の金属材を検知していないときは上方に上昇するピストンシリンダー１９と、から構成される。施工完了時には、このピストンシリンダー１９にインナーワイヤ１０ｂ端部が当接するように施工され、ピストンシリンダー１９の動作に合わせて、インナーワイヤ１０ｂの、排水栓側端部が進退する。尚、本実施例では金属探知器４ｂやピストンシリンダー１９の電源については特に記載しないが、通常の家庭用コンセント等を利用する事で容易に用意することができる。
また、操作部３と動作ユニット１６中の金属探知器４ｂの位置は、ボタン部材１３がスライド収納部１４ａ上で「閉」の表示を覆い隠している状態、即ち「開」の表示が露出している時に金属探知器４ｂがボタン部材の金属材を検知するとともに、ボタン部材がスライド収納部１４ａ上で「開」の表示を覆い隠している状態、即ち「閉」の表示が露出している時には金属探知器４ｂがボタン部材１３の金属材を検知する事が無い位置となるように、位置を調整して取り付け施工される。
【００２６】
以上のように構成した第三実施例の遠隔操作式排水栓装置は、以下のようにして槽体である浴槽Ｂに施工・取り付けされる。
まず浴槽Ｂの上縁近傍に、接着剤または両面テープを用いて操作部３を固定する。
次に、浴槽Ｂ上縁の壁面を介し、操作部３の対向位置に金属探知器４ｂが配置されるように、動作ユニット１６のケーシング部１６ａを接着剤または両面テープを用いて固定する。
この時の操作部３と金属探知器４ｂの位置は、前述のように、ボタン部材１３がスライド収納部１４ａ上で「閉」の表示を覆い隠している状態、即ち「開」の表示が露出している時に金属探知器４ｂがボタン部材１３の金属材を検知するとともに、ボタン部材１３がスライド収納部１４ａ上で「開」の表示を覆い隠している状態、即ち「閉」の表示が露出している時には金属探知器４ｂがボタン部材１３の金属材を検知する事が無い位置となるように、位置を調整して取り付けられる。
また、浴槽Ｂの排水栓取付孔に排水栓本体５と継手部材７を、排水栓本体５と継手部材７とで排水栓取付孔周縁を挟持するようにして取り付け固定する。これにより、排水栓本体５及び継手部材７が排水栓として機能する。
更にケーシング部１６ａにレリースワイヤ１０のアウターチューブ端部を接続した後、レリースワイヤ１０の他端を、接続筒９を介し継手部材７の内部まで挿通する。
この状態から、ラジオペンチ等の冶具を利用し、浴槽Ｂ内部から排水口１内部に突出したレリースワイヤ１０の先端を引き上げ、支持部材６にアウターチューブ１０ａ端部を固定した上で、排水栓本体５に支持部材６を嵌合固定する。
最後にインナーワイヤ１０ｂの弁軸部１０ｄに弁部材２を嵌合固定させて、遠隔操作式排水栓装置の浴槽Ｂへの施工・取り付けが完了する。
【００２７】
前記のように取り付けられた遠隔操作式排水栓装置は、以下のように操作することで、遠隔操作により排水口１を開閉できる。
まず図１２に示したように、弁部材２が降下し、排水口１が閉口している状態とする。
この時、操作部３はボタン部材が「開」の表示を覆い隠す位置、即ち「閉」の表示が露出した図１３乃至図１４に示した状態となる。またピストンシリンダー１９は上方に上昇してなる。
この状態より、操作部３のボタン部材１３にスライド操作を行い、スライド収納部１４ａ上を移動させて、ボタン部材１３が「閉」の表示を覆い隠す位置、即ち「開」の表示が露出した図１５乃至図１６の位置に移動させると、ボタン部材１３が金属探知器４ｂに接近したことで、金属探知器４ｂがボタン部材１３の金属材を検知し、ピストンシリンダー１９を下方に突出させる。これにより、このピストンシリンダー１９に当接しているレリースワイヤ１０のインナーワイヤ１０ｂ端部が押し下げられ、排水栓側に突出する。
これにより、インナーワイヤ１０ｂがアウターチューブ１０ａに対し排水口１側へ突出し、弁部材２を押し上げて排水口１を開口する。
この状態から再度操作部３のボタン部材１３にスライド操作を行い、スライド収納部１４ａ上を移動させて、ボタン部材１３が「開」の表示を覆い隠す位置、即ち「閉」の表示が露出した図１３乃至図１４の位置に移動させると、ボタン部材１３が金属探知器４ｂから離間したことで、受信部の金属探知器４ｂがボタン部材１３の金属材を検知しなくなり、ピストンシリンダー１９が上方に上昇する。これにより、弁部材２の自重及び戻りスプリング１０ｃの作用によりインナーワイヤ１０ｂが操作部３側に後退し、弁部材２が降下して排水口１が閉口する。
以後、同様の操作を繰り返すことで、遠隔操作的に、排水口１の開口／閉口を行うことができ、開口時には浴槽Ｂ内の排水を排出することができる。
上記のように構成された、第三実施例の遠隔操作式排水栓装置は、電力によりピストンシリンダー１９を駆動させることで排水口１を開閉する、電動式の遠隔操作式排水栓装置である。
【００２８】
次に、本発明の第四実施例について、図面を参照しつつ説明する。
図１７乃至図２０に示した、第四実施例の遠隔操作式排水栓装置は、以下に記載する、槽体としての浴槽Ｂ、浴槽Ｂを備えた浴室ＢＲ、浴室ＢＲに隣接して設けられた脱衣所Ｄと、排水栓本体５、継手部材７、弁部材２、操作部レリースワイヤ１０２、合流部レリースワイヤ１０１、操作部３、ワイヤー合流部材２０、及び動作ユニット１６から構成される。
浴槽Ｂは、上方が開口した箱体であって、底部に排水栓取付孔を開口する。
浴室ＢＲは、略長方体を成す室内空間であって、上記浴槽を載架する浴槽パンと、浴槽パンに隣接して浴室ＢＲの使用者が身体を洗う洗い場パンを供えてなる。
脱衣所Ｄは、浴室ＢＲに隣接して設けられた室内空間であって、浴室ＢＲとの間に開閉可能な扉部（図示せず）を備えてなる。尚、浴室ＢＲと脱衣所Ｄとを区画する壁面は、浴室側壁面と脱衣所側壁面Ｗとがそれぞれ設けられ、浴室側壁面には、浴室ＢＲに隠れて見えない部分に点検窓（図示せず）が設けられている。
排水栓本体５は、内部に排水口１を形成した円筒状の部材であって、排水口１内部に合流部レリースワイヤ１０１のアウターチューブ１０ａ端部を固定した状態で嵌合固定される支持部材６を備えてなる。
継手部材７は、上記排水栓本体５に接続される部材であって、排水を排出する排出口８と、側面に突出した接続筒９とを備えてなる。
弁部材２は、この後に詳述する合流部レリースワイヤ１０１の弁軸部１０ｄと嵌合する、排水口１の上部に配置される部材であって、上昇／下降することで、排水口１を開口／覆って閉口させる部材である。
操作部レリースワイヤ１０２は、四フッ化エチレンなどの樹脂から構成される円筒状のアウターチューブ１０ａと、アウターチューブ１０ａ内に進退自在に配置される、コイル状に形成された金属線からなるインナーワイヤ１０ｂと、インナーワイヤ１０ｂをアウターチューブ１０ａに対して一方向（操作部３側）に付勢する戻りスプリング１０ｃと、から構成される。
合流部レリースワイヤ１０１は、四フッ化エチレンなどの樹脂から構成される円筒状のアウターチューブ１０ａと、アウターチューブ１０ａ内に進退自在に配置される、コイル状に形成された金属線からなるインナーワイヤ１０ｂと、インナーワイヤ１０ｂをアウターチューブ１０ａに対して一方向（操作部３側）に付勢する戻りスプリング１０ｃと、から構成され、更に、インナーワイヤ１０ｂ端部に設けられた、棒状にして弁部材２と嵌合する弁軸部１０ｄを備えてなる。
スラストロック部材１１は、合流部レリースワイヤ１０１のアウターチューブ１０ａ端部が接続されるスラストロック本体１１ａと、インナーワイヤ１０ｂ端部が当接するスラストロック軸部１１ｂ、その他の部材から構成され、スラストロック軸部１１ｂへの押し込み操作毎に、スラストロック軸部１１ｂがインナーワイヤ１０ｂを下方、即ち弁軸部１０ｄ側に突出して固定／固定を解除しインナーワイヤ１０ｂの戻りスプリング１０ｃの作用により上方、即ち操作部３側に後退、を繰り返す部材である。
ワイヤー合流部材２０は、略Ｙ字状のＹ字管体２１に、略Ｙ字状を成すＹ字軸部２２を収納してなり、Ｙ字軸部２２はＹ字管体２１内部を上下に摺動自在に動作する事ができる。
また、Ｙ字管体２１の上方の端部は各操作部からの操作部レリースワイヤ１０２に、下方の端部はスラストロック部材を介して合流部レリースワイヤ１０１に、それぞれ接続される。
操作部３は、弁部材２への開閉操作を行う為の部材であって、使用者が押し込み操作を行う、磁力源として永久磁石１２ａを備えたボタン部材１３と、該ボタン部材１３を収納する操作部本体１４と、ボタン部材１３を上方に押し上げる押し上げスプリング１５と、から構成される。
動作ユニット１６は、上端が浴槽Ｂの上縁裏側、及び浴室ＢＲと脱衣所Ｄを区画する壁面に固定されるケーシング部１６ａと、ケーシング部１６ａに固定され、上記ボタン部材１３の永久磁石１２ａの磁力に反応して通電する受信部４ａと、受信部４ａからの通電を受け、電力によって動作するモーター駆動により、施工完了時操作部レリースワイヤ１０２のインナーワイヤ１０ｂ端部に押し込み操作を行う駆動部１７と、から構成される。尚、本実施例では受信部４ａやモーターの電源については特に記載しないが、通常の家庭用コンセント等を利用する事で容易に用意することができる。また、駆動部１７には軸や傾斜面等が備えられ、これがスラストロック軸部１１ｂ等に押し込み操作を行うが、これらは一回の動作毎に元の位置・状態に戻り、スラストロック軸部１１ｂの動作の妨げとなる位置・状態で停止する事はない。
また、この実施例においては、操作部３、動作ユニット１６、及び操作部レリースワイヤ１０２は、浴室ＢＲ内の浴槽Ｂ用と脱衣所Ｄ用に各１組、計２組用意されている。
【００２９】
以上のように構成した第四実施例の遠隔操作式排水栓装置は、以下のようにして槽体である浴槽Ｂ、及び浴室ＢＲ／脱衣所Ｄに施工・取り付けされる。
まず浴槽Ｂの上縁近傍に、接着剤または両面テープを用いて操作部３を固定する。
次に、浴槽Ｂ上縁の壁面を介し、操作部３の対向位置に受信部４ａが配置されるように、動作ユニット１６のケーシング部１６ａを接着剤または両面テープを用いて固定する。
更にケーシング部１６ａにレリースワイヤ１０のアウターチューブ１０ａ端部を固定し、インナーワイヤ１０ｂ端部が駆動部１７に対応する位置に配置されるようにする。
次に、浴室ＢＲと脱衣所Ｄを区画する壁面の内、脱衣所側の壁面Ｗ上に、接着剤または両面テープを用いて操作部３を固定し、更に点検口から作業を行い、浴室ＢＲと脱衣所Ｄを区画する壁面の間であって、脱衣所側の壁面Ｗの裏側にして操作部３の対向位置に受信部４ａが配置されるように、動作ユニット１６のケーシング部１６ａを接着剤または両面テープを用いて固定する。
更にケーシング部１６ａにレリースワイヤ１０のアウターチューブ１０ａ端部を固定し、インナーワイヤ１０ｂ端部が駆動部１７に対応する位置に配置されるようにする。
また、浴槽Ｂの排水栓取付孔に排水栓本体５と継手部材７を、排水栓本体５と継手部材７とで排水栓取付孔周縁を挟持するようにして取り付け固定する。これにより、排水栓本体５及び継手部材７が排水栓として機能する。
次に、浴槽Ｂ側、脱衣所Ｄ側にそれぞれ接続した各操作部レリースワイヤ１０２の端部を、ワイヤー合流部材２０にそれぞれ接続する。具体的には、各操作部レリースワイヤ１０２のアウターチューブ１０ａ端部を、Ｙ字管体２１の上方にある２つの端部にそれぞれ接続固定する。これにより、Ｙ字軸部２２の上方の２つある端部は、それぞれ２つある操作部レリースワイヤ１０２のインナーワイヤ１０ｂに対向する位置に配置される。
更に、ワイヤー合流部材２０のＹ字管体２１の下方にある端部に、スラストロック軸部１１ｂがＹ字軸部２２の下端に対向するようにスラストロック部材１１を接続する。
更に合流部インナーワイヤの端部が、スラストロック軸部１１ｂに対向するように、合流部レリースワイヤ１０１のアウターチューブ１０ａ端部を、スラストロック本体１１ａに固定した後、合流部レリースワイヤ１０１の他端を、接続筒９を介し継手部材７の内部まで挿通する。
その後、浴槽Ｂ内部から排水口１内部に突出した合流部レリースワイヤ１０１先端を引き上げ、支持部材６にアウターチューブ１０ａ端部を固定した上で、排水栓本体５に支持部材６を嵌合固定する。最後にインナーワイヤ１０ｂの弁軸部１０ｄに弁部材２を嵌合固定させて、遠隔操作式排水栓装置の浴槽Ｂへの施工・取り付けが完了する。
【００３０】
前記のように取り付けられた遠隔操作式排水栓装置は、以下のように操作することで、遠隔操作により排水口１を開閉できる。
まず図１７に示したように、弁部材２が降下し、排水口１が閉口している状態とする。この時ワイヤー合流部材２０は図１８に示したような状態となっている。この状態より、浴槽Ｂ側、又は浴室ＢＲ側の操作部３のボタン部材１３に押し込み操作を加えると、ボタン部材１３に固定されている永久磁石１２ａが、浴槽Ｂ上縁の壁面越し、又は脱衣所側の壁面Ｗ越しに、受信部４ａに接近するため、受信部４ａが受ける磁力の強度が増す。
受信部４ａが受信する磁力の強度が一定値を超えると、受信部４ａが反応して通電し、駆動部１７がモーターの軸を中心として回転動作する。これにより、操作部３に接続された操作部レリースワイヤ１０２のインナーワイヤ１０ｂに押し込み操作が行われ、図１９に示したように、操作部レリースワイヤ１０２が接続されている、ワイヤー合流部材２０のＹ字軸部２２が押し込まれ、Ｙ字管体２１に対しＹ字軸部２２が下方に突出する。これによりスラストロック軸部１１ｂが合流部レリースワイヤ１０１側に突出し、それに伴って合流部レリースワイヤ１０１のインナーワイヤ１０ｂがアウターチューブ１０ａに対し排水口１側へ突出し、弁部材２を押し上げて排水口１を開口する。更に駆動部１７が動作し、１回転して元の位置に戻ると、図２０のような状態にてスラストロック軸部１１ｂが固定され、排水口１の開口状態が維持される。
この状態から再度操作部３のボタン部材１３に押し込み操作を加えると、再びボタン部材１３に固定されている永久磁石１２ａが、浴槽Ｂ上縁の壁面越し、又は脱衣助側の壁面Ｗ越しに、受信部４ａに接近し、受信部４ａが反応して通電し、駆動部１７を動作させる。これにより排水口１の開口時と同様の過程を経てスラストロック部材１１のスラストロック軸部１１ｂに再度押し込み操作が行われ、スラストロック軸部１１ｂの固定が解除されて操作部３が図２の状態となり、弁部材２の自重及び戻りスプリング１０ｃの作用によりインナーワイヤ１０ｂが操作部３側に後退し、弁部材２が降下して排水口１が閉口する。
以後、同様の操作を繰り返すことで、遠隔操作的に、排水口１の開口／閉口を行うことができ、開口時には浴槽Ｂ内の排水を排出することができる。尚、図１８乃至図２０では左側の操作部レリースワイヤ１０２が動作しているが、右側の操作部レリースワイヤ１０２が動作しても、上記と同様の過程を経て遠隔操作式排水栓装置の排水口１の開閉操作を行うことができる。
上記のように、浴槽Ｂに設けられた操作部３と、脱衣所側の壁面Ｗに設けられた操作部３によって行われる開閉操作は、取り付けられた箇所が異なるだけで、それぞれの操作部３から排水口１間ではほぼ同じ過程を経て各動作が行われるものであり、浴槽Ｂ側の操作部３への操作で排水口１を開口した後脱衣所Ｄ側の操作部３への操作で排水口１を閉口する、または逆に脱衣所Ｄ側の操作部３の操作で排水口１を開口した後浴槽Ｂ側の操作部３の操作で排水口１を閉口する、といった操作を行っても何ら支障は無い。
【００３１】
本発明の実施例は以上のようであるが、本発明は上記実施例に限定される物ではなく、主旨を変更しない範囲において自由に変更が可能である。
例えば、上記第一実施例乃至第三実施例では、槽体として浴槽Ｂを採用しているが、本発明はこれに限定される物ではなく、洗面台の洗面ボウルや、流し台のシンク等、他の槽体に本発明の遠隔操作式排水栓装置を採用しても構わない。
また、上記第一実施例乃至第三実施例の遠隔操作式排水栓装置では、新規に排水機器である浴槽Ｂに施工を行う方法を記載しているが、本発明では浴槽Ｂ等排水機器に操作部取付孔を設ける必要が無いため、遠隔操作式ではない、通常の排水栓装置を採用した排水機器に、後付け的に遠隔操作式排水栓装置を取り付けることができる。具体的には、既に施工されている排水栓装置の排水栓本体５、継手部材７を取り外し、その状態から第一実施例乃至第三実施例に記載した遠隔操作式排水栓装置を、各実施例に記載した手順で施工することで、通常の排水栓装置を採用した排水機器に、後付け的に遠隔操作式排水栓装置を取り付けることができる。
また、上記第四実施例では、複数ある遠隔操作式排水栓装置の操作部３から排水口１への操作の伝達にレリースワイヤ１０を使用しているが、本発明の遠隔操作式排水栓装置は上記実施例に限定されるものではなく、第二実施例のように、電線Ｌを利用して操作部３の操作を排水口１へ伝達するようにしても良い。
また、上記第四実施例では、複数ある遠隔操作式排水栓装置の操作部３を、いずれも磁力を受信部４ａで受信することによって操作を検知するような構成としているが、本発明の遠隔操作式排水栓装置は上記実施例に限定されるものではなく、例えば水密性が要求される浴槽側の操作部のみ第二実施例のように、電線Ｌを利用して操作部３の操作を排水口１へ伝達するようにしても良い。
【符号の説明】
【００３２】
１      排水口                          ２      弁部材
３      操作部                          ４ａ    受信部
４ｂ    金属探知器                      ５      排水栓本体
６      支持部材                        ７      継手部材
８      排出口                          ９      接続筒
１０    レリースワイヤ                  １０１  合流部レリースワイヤ
１０２  操作部レリースワイヤ            １０ａ  アウターチューブ
１０ｂ  インナーワイヤ                  １０ｃ  戻りスプリング
１０ｄ  弁軸部                          １１    スラストロック部材
１１ａ  スラストロック本体              １１ｂ  スラストロック軸部
１２ａ  永久磁石                        １２ｂ  電磁石部
１３    ボタン部材                      １４    操作部本体
１４ａ  スライド収納部                  １５    押し上げスプリング
１６    動作ユニット                    １６ａ  ケーシング部
１７    駆動部                          １８    接点
１９    ピストンシリンダー              ２０    ワイヤー合流部材
２１    Ｙ字管体                        ２２    Ｙ字軸部
Ｂ      浴槽                            ＢＲ    浴室
Ｄ      脱衣所                          Ｗ      脱衣所側壁面
Ｌ      電線                            Ｍ      モーター
【図１】
2012097545.tif 000003
【図２】
2012097545.tif 000004
【図３】
2012097545.tif 000005
【図４】
2012097545.tif 000006
【図５】
2012097545.tif 000007
【図６】
2012097545.tif 000008
【図７】
2012097545.tif 000009
【図８】
2012097545.tif 000010
【図９】
2012097545.tif 000011
【図１０】
2012097545.tif 000012
【図１１】
2012097545.tif 000013
【図１２】
2012097545.tif 000014
【図１３】
2012097545.tif 000015
【図１４】
2012097545.tif 000016
【図１５】
2012097545.tif 000017
【図１６】
2012097545.tif 000018
【図１７】
2012097545.tif 000019
【図１８】
2012097545.tif 000020
【図１９】
2012097545.tif 000021
【図２０】
2012097545.tif 000022
【図２１】
2012097545.tif 000023